(57)【要約】【課題】ワイングラスや把手付きカップを安定した状態で収納できる電動昇降戸棚を提供する。【解決手段】本電動昇降戸棚は、内キャビネット５内に倒立状態のワイングラスＧを吊るすワイングラス掛吊具７及び把手ｃ付きカップＣを吊るすカップ掛吊具８が設けられ、ワイングラス掛吊具７は、枠体支持部５ｆ、５ｇに支持される枠体７ａと、この枠体７ａに倒立状態のワイングラスＧの下底部ｇが係合するように離間して橋設された対のワイングラス支持部材７ｂを有し、カップ掛吊具８は、枠体支持部５ｆ、５ｇに支持される枠体８ａと、この枠体８ａに取り付けられかつ開放端部８ｂ１が前面が対向し、カップＣの把手ｃを遊挿してカップＣを吊るカップ支持部材８ｂを有する。【選択図】  図１
2005211141.tif 000002
【特許請求の範囲】
【請求項１】
下面に開口が設けられた外キャビネットと、この外キャビネット内に昇降自在に収納され、食器類が載置される棚板が設けられた内キャビネットと、前記外キャビネットに内装され前記内キャビネットを昇降させる電動昇降機構とを有し、
前記内キャビネットには、この内キャビネットの前部及び後部にその横幅方向の全長に渡って各々設けられた２個の枠体支持部と、この枠体支持部に横幅方向に移動可能に支持され倒立状態のワイングラスを吊るすワイングラス掛吊具又は把手付きカップを吊るすカップ掛吊具が設けられ、
前記ワイングラス掛吊具は、前記枠体支持部に支持される枠体と、この枠体に倒立状態のワイングラスの下底部が係合するように離間して橋設された対のワイングラス支持部材を有し、
前記カップ掛吊具は、前記枠体支持部に支持される枠体と、この枠体に取り付けられかつ開放端部が前面が対向し、カップの把手を遊挿してカップを吊るカップ支持部材を有することを特徴とする電動昇降戸棚。
【請求項２】
前記２個の支持部間には、前記両枠体を離間した状態で覆い食器類が載置される棚板が設けられることを特徴とする請求項１に記載の電動昇降戸棚。
【請求項３】
前記ワイングラス支持部材は、その前面端部が前記ワイングラス掛吊具の枠体近傍まで達し、前記カップ支持部材は、その開放端部が前記カップ掛吊具の枠体近傍まで達していることを特徴とする請求項１または２に記載の電動昇降戸棚。
【請求項４】
前記ワイングラス支持部材には、ワイングラスの下底部を係止してワイングラスの動きを抑制する位置決め係止部が設けられ、前記カップ支持部材には、前記カップの把手を係止して、カップの動きを抑制する位置決め係止部が設けられることを特徴とする請求項１ないし３のいずれか１項に記載の電動昇降戸棚。
【発明の詳細な説明】
【技術分野】
【０００１】
本発明は外キャビネットに対して棚板が設けられた内キャビネットを昇降させる電動昇降戸棚に係り、特に内キャビネットにワイングラス掛吊具及びカップ掛吊具が設けられた電動昇降戸棚に関する。 
【背景技術】
【０００２】
従来、電動昇降機構を用いて棚板が設けられた内キャビネットを昇降自在とし、この内キャビネットを上昇させて外ケーシング内に収納させ、内キャビネットを下降させて外ケーシングの下方に露出させる電動昇降戸棚がある。
【０００３】
特許文献１に記載の電動昇降戸棚は、内キャビネットに上段に平板状の棚板が設けられ、下段には食器立が櫛歯状に立設された棚板が設けられているが、この電動昇降戸棚は皿や茶碗に合わせた形状になっているため、ワイングラスやコーヒーカップを収納することが困難であった。また、特許文献２に記載の電動昇降戸棚は、平板状の棚板を用いるため、ワイングラスなどは立てた状態で棚板に載置して収納するので、不安定であり、昇降時などに互いに接触して破損する場合があった。
【特許文献１】特開２００３−９９６１号公報（段落［００１０］、図１）
【特許文献２】特開２００１−１７８５５４号公報（段落［００１４］、図１）
【発明の開示】
【発明が解決しようとする課題】
【０００４】
本発明は上述した事情を考慮してなされたもので、ワイングラスや把手付きカップを安定した状態で収納できる電動昇降戸棚を提供することを目的とする。
【課題を解決するための手段】
【０００５】
上記目的を達成するため、本発明の１つの態様によれば、下面に開口が設けられた外キャビネットと、この外キャビネット内に昇降自在に収納され、食器類が載置される棚板が設けられた内キャビネットと、前記外キャビネットに内装され前記内キャビネットを昇降させる電動昇降機構とを有し、前記内キャビネットには、この内キャビネットの前部及び後部にその横幅方向の全長に渡って各々設けられた２個の枠体支持部と、この枠体支持部に横幅方向に移動可能に支持され倒立状態のワイングラスを吊るすワイングラス掛吊具又は把手付きカップを吊るすカップ掛吊具が設けられ、前記ワイングラス掛吊具は、前記枠体支持部に支持される枠体と、この枠体に倒立状態のワイングラスの下底部が係合するように離間して橋設された対のワイングラス支持部材を有し、前記カップ掛吊具は、前記枠体支持部に支持される枠体と、この枠体に取り付けられかつ開放端部が前面が対向し、カップの把手を遊挿してカップを吊るカップ支持部材を有することを特徴とする電動昇降戸棚が提供される。これにより、ワイングラスや把手付きカップを安定した状態で収納できる電動昇降戸棚が実現される。
【０００６】
好適な一例では、前記両枠体を離間した状態で覆い食器類が載置される棚板が設けられる。
【０００７】
また、他の好適な一例では、前記ワイングラス支持部材は、その前面端部が前記ワイングラス掛吊具の枠体近傍まで達し、前記カップ支持部材は、その開放端部が前記カップ掛吊具の枠体近傍まで達している。
【０００８】
また、他の好適な一例では、前記ワイングラス支持部材には、ワイングラスの下底部を係止してカップの動きを抑制する位置決め係止部が設けられ、前記カップ支持部材には、前記カップの把手を係止して、カップの動きを抑制する位置決め係止部が設けられる。
【発明の効果】
【０００９】
本発明に係わる電動昇降戸棚によれば、ワイングラスや把手付きカップを安定した状態で収納できる電動昇降戸棚を提供することができる。
【発明を実施するための最良の形態】
【００１０】
以下、本発明に係る電動昇降戸棚の一実施形態について添付図面を参照して説明する。
【００１１】
図１は前扉を省略し一部断面で示す本発明に係る電動昇降戸棚の正面図、図２はその側断面図である。
【００１２】
図１および図２に示すように、本発明に係る電動昇降戸棚１は、下端に下部開口２ａが設けられた外キャビネット２と、この外キャビネット２内に昇降自在に収納され、食器類が載置される棚板３、４が設けられた内キャビネット５と、外キャビネット２に内装され内キャビネット５を昇降させる電動昇降機構６とを有している。
【００１３】
外キャビネット２は、天板２ｂ、前垂板２ｃ、両側板２ｄ、背板２ｅ等により構成され、下端全面に上記下部開口２ａが設けられ、さらに、前面の前垂板２ｃ以外の部分には前面開口２ｆが設けられている。また、この外キャビネット２の前垂板２ｃに、前扉２ｇがその上端縁部の例えば３個所に設けたヒンジ２ｈを介して連結され、これにより前扉２ｇは上端縁部を支点として下端側を前後方向に回動し、適宜前面開口２ｆを開閉するようになっている。
【００１４】
また、内キャビネット５は、電動昇降戸棚本体を構成するもので、上板５ａ、底板５ｂ、両側板５ｃおよび背板５ｄにより前面に開口５ｅが設けられた箱状に形成されている。
【００１５】
内キャビネット５の上部からほぼ１／３の位置には、倒立状態のワイングラスＧを吊るすワイングラス掛吊具７と、把手付きカップＣを吊るすカップ掛吊具８が設けられ、さらに、小物置棚９が設けられている。また、内キャビネット５には、その横幅（左右）方向の全長に渡り両側板５ｃ間に橋設された枠体支持部５ｆと、この枠体支持部５ｆに平行で、内キャビネット５の背板５ｄから突出する突条の枠体支持部５ｇが設けられ、ワイングラス掛吊具７、カップ掛吊具８及び小物置棚９は、枠体支持部５ｆと枠体支持部５ｇにより支持されている。
【００１６】
図３及び図４に示すように、ワイングラス掛吊具７は、金属製の中実棒材で形成され、枠体支持部５ｆと枠体支持部５ｇ間に載置されて支持される長方形状の枠体７ａと、この枠体７ａに倒立状態のワイングラスＧの脚部ｆに連なる下底部ｇが係合するように離間して長方形状の短辺側に橋設された三対のワイングラス支持部材７ｂを有している。
【００１７】
このワイングラス支持部材７ｂは、その前面端部７ｂ１が枠体７ａ近傍まで達しており、さらに、ワイングラス支持部材７ｂには、ワイングラスＧの下底部ｇを係止してワイングラスＧの動きを抑制する位置決めグラス係止部７ｂ２が適宜の間隔で多数設けられている。
【００１８】
また、図５及び図６に示すように、カップ掛吊具８は、金属製の中実棒材で形成され、枠体支持部５ｆと枠体支持部５ｇ間に載置されて支持される長方形状の枠体８ａ、この枠体８ａの長方形状の短辺側に取り付けられ、斜め上向きの開放端部８ｂ１が前面に対向し、カップＣの把手ｃを遊挿してカップＣを吊る三本のカップ支持部材８ｂを有している。このカップ支持部材８ｂは、その開放端部８ｂ１が枠体９ａ近傍まで達しており、さらに、カップ支持部材８ｂには、カップＣの把手ｃを係止してカップＣの動きを抑制する位置決めカップ係止部８ｂ２が適宜の間隔で多数設けられている。
【００１９】
図７に示すような小物置棚９は必要に応じて設けられるもので、長方形状の枠体９ａに４本の吊下棒材９ｃを用いて棚面９ｂを吊るし、枠体９ａを枠体支持部５ｆと枠体支持部５ｇ間に載置して、支持することにより上記位置に配置される。さらに、小物置棚９に加えて、あるいは小物置棚９に替えて図８に示すようなまな板置棚２２を枠体支持部５ｆと枠体支持部５ｇ間に載置するようにしてもよい。
【００２０】
また、ワイングラス掛吊具枠体７の枠体７ａ、カップ掛吊具８の枠体８ａ及び小物置棚９の枠体９ａを離間した状態で覆い、２分割可能で多数の透孔が穿設された食器類用の棚板３が枠体支持部５ｆと枠体支持部５ｇに載置されている。
【００２１】
また、内キャビネット５の両側板５ｃの外面間の寸法が、外キャビネット２の両側板２ｄの内面間の寸法よりも僅かに小さく設定され、これら各側板２ｄ、５ｃ間にそれぞれ縦長な幅狭い側方空間１０が形成されている。なお、内キャビネット５の高さは外キャビネット２より十分小さく、内キャビネット５の上方に機器スペース１１が形成されるようになっている。
【００２２】
さらに、内キャビネット５の内底部には傾斜した集水用のドレン受板１２が取り付けられており、このドレン受板１２で集められるドレンが排水口１２ａを介して、底板５ｂの前方側に着脱可能に設けられた水受皿１３に貯留されるようになっている。また、ドレン受板１２を覆うように、２分割可能で多数の透孔が穿設された食器類用の棚板４がドレン受板１２に載置されている。
【００２３】
上記のように内キャビネット５は、この外キャビネット２に昇降機構６により昇降可能に支持されており、この昇降機構６は例えばベルト式昇降機構であり、外キャビネット２のフレーム６ａに取り付けたモータ６ｂと、このモータ６ｂにギア等の動力伝達機構６ｃを介して連結された巻取りドラム６ｄと、この巻取りドラム６ｄに巻装されるベルト６ｅと、ベルト６ｅを下方に案内するベルトローラ６ｆと、内キャビネット５の上板５ａにブラケット６ｇを介して支持された内箱吊上げ用の吊上げローラ６ｈと、ベルト６ｅの端部をフレーム６ａ部位で止着する止着具６ｉとを有している。
【００２４】
この昇降機構６のベルト６ｅは例えば２本構成であり、その各ベルト６ｅにより内キャビネット５の左右２箇所が吊上げられる方式となっている。各ベルト６ｅは、一つの巻取りドラム６ｄに同時に巻上げられ、それにより内キャビネット５が常時一定姿勢で昇降することができる。内キャビネット５の両側板５ｃの外面部にはそれぞれスライダ６ｊが設けられ、このスライダ６ｊが外キャビネット２のガイドレール６ｋに案内されることにより、確実に内キャビネット５の昇降時の姿勢が安定する。
【００２５】
さらに、内キャビネット５の上板５ａ上には送風機１４、ヒータ１５およびダクト１６が設けられ、送風口１６ａを介して内キャビネット５に温風が供給されるようになっている。
【００２６】
また、内キャビネット５の底板５ｂには、取付部材１７ａ、１７ｂが取り付けられており、これら取付部材１７ａ、１７ｂにはデザイン性向上のための棒材１８が水平状態に取り付けられており、さらに、取付部材１７ａには多数のスイッチ１９ａが設けられた操作部１９が取り付けられている。この操作部１９のスイッチ１９ａを介しての下降指令の出力により巻取りドラム６ｄが回転して内キャビネット５が下降し、また上昇指令の出力により、内キャビネット５が上昇する。
【００２７】
内キャビネット５と前扉２ｇとが、外キャビネット２と内キャビネット５との各側板２ｄ、５ｃ間に形成される側方空間１０に配設したリンク機構２０によって連結されている。各リンク機構２０は、各２本ずつのアーム２０ａ、２０ｂにより構成され、内キャビネット５の昇降に伴って前扉２ｇを開閉させるようになっている。また、前扉２ｇの上端側支点近傍位置と外キャビネット２とは、引張りコイルばね（図示せず）によって接続され、これにより前扉２ｇには常閉方向の付勢力が常時付与されている。
【００２８】
次に本発明に係る電動昇降戸棚の使用方法について説明する。
【００２９】
図９に示すように、使用者が操作部１９のスイッチ１９ａを押すと、スイッチ１９ａを介した下降指令の出力により図１に示す巻取りドラム６ｄが回転して内キャビネット５が下降する。このとき前扉２ｇは開放状態になり、使用者は開口５ｅを通して、内キャビネット５を見通すことができ、内キャビネット５に対する食器類の出し入れが可能となる。しかる後、使用者はワイングラスＧを倒立状態にして持ち、ワイングラス掛吊具７の一対のワイングラス支持部材７ｂ間に脚部ｆと通した状態でワイングラス支持部材７ｂの後端近傍までワイングラスＧを入れ、下底部ｇを一対のワイングラス支持部材７ｂと下底部ｇを係合させ、ワイングラスＧをワイングラス掛吊具７に吊るす。このとき、図４に示すように下底部ｇがグラス係止部７ｂ２によりその動きが抑制される。さらに、使用者は同様にして収納すべきワイングラスＧをワイングラス掛吊具７に吊るす。
【００３０】
さらに、使用者はカップＣの把手ｃをカップ掛吊具８のカップ支持部材８ｂの開放端部８ｂ１に遊挿し、その状態のままカップ支持部材８ｂの後端近傍までカップＣを入れ、カップ支持部材８ｂと把手ｃを係合させ、カップＣをカップ掛吊具８に吊るす。このとき、図６に示すように把手ｃがカップ係止部８ｂ２によりその動きが抑制される。さらに、使用者は同様にして収納すべきカップＣをカップ掛吊具８に吊るす。
【００３１】
また、収納すべき調味料などがあれば、小物置棚９に載置し、さらに、収納すべき食器類があれば、棚板３、４に載置する。収納が完了したら、使用者がスイッチ１９ａを押して、上昇指令の出力により、巻取りドラム６ｄを回転させて内キャビネット５を上昇させる。このとき前扉２ｇは閉止状態になり、美観及び内キャビネット５内の衛生状態が保たれる。
【００３２】
上記のようにして、ワイングラスＧ及びカップＣは電動昇降戸棚１に収納されるが、その収納過程において、ワイングラスＧ及びカップＣは吊り下げられた安定した状態で収納されるので、内キャビネット５の昇降時にその振動によってワイングラスＧ及びカップＣが転倒して破損することがなく、また、グラス係止部７ｂ２、カップ係止部８ｂ２が設けられているので、ワイングラスＧ及びカップＣは所定の位置を保ち、隣接するもの同士が当たり破損することがない。さらに、ワイングラス支持部材７ｂの前面端部７ｂ１及びカップ支持部材８ｂの開放端部８ｂ１が、それぞれ枠体７ａ及び枠体８ａの近傍まで達しているので、地震等により通常よりも電動昇降戸棚１が大きく振動しても、ワイングラスＧ及びカップＣは、前扉２ｇに当接してその動きが抑制され、ワイングラス支持部材７ｂ及びカップ支持部材８ｂから落下することはない。また、カップ支持部材を単に背板に沿って配置し、カップを２次元的にカップ支持部材に吊り下げるのとは異なり、ワイングラス支持部材７ｂ及びカップ支持部材８ｂを内キャビネット５の奥行きに向け、かつ横幅方向に複数ワイングラス支持部材７ｂ及びカップ支持部材８ｂを設けることにより、ワイングラスＧ及びカップＣを３次元的に収納でき、安定した状態で多くのワイングラスＧ及びカップＣを収納することができる。
【００３３】
なお、本発明に係る電動昇降戸棚においては、ワイングラス掛吊具の枠体及びカップ掛吊具は、適宜の幅を有するものが使用でき、また、これらに取り付けられるワイングラス支持部材及びカップ支持部材の数を適宜選択でき、さらに、ワイングラス掛吊具とカップ掛吊具を同時に使用することも、また、いずれか一方のみを枠体に載置し、他方を取り外して使用することも可能であり、また、これらを枠体のいずれの位置に載置して使用することも可能であり、ワイングラス支持部材及びカップ支持部材に位置決め係止部を設けるのが好ましいが、これは必ずしも必須のものではない。
【図面の簡単な説明】
【００３４】
【図１】前扉を省略し一部断面で示す本発明に係る電動昇降戸棚の正面図。
【図２】本発明に係る電動昇降戸棚の側断面図。
【図３】本発明に係る電動昇降戸棚に用いられるワイングラス掛吊具の斜視図。
【図４】図３のワイングラス掛吊具に用いられるワイングラス支持部材の斜視図。
【図５】本発明に係る電動昇降戸棚に用いられるカップ掛吊具の斜視図。
【図６】図５のカップ掛吊具に用いられるカップ支持部材の斜視図。
【図７】本発明に係る電動昇降戸棚に用いられる小物置棚の斜視図。
【図８】本発明に係る電動昇降戸棚に用いられるまな板載置棚の斜視図。
【図９】本発明に係る電動昇降戸棚の使用状態を示す斜視図。
【符号の説明】
【００３５】
１  電動昇降戸棚
２  外キャビネット
３，４  棚板
５  内キャビネット
５ｆ  枠体支持部
５ｇ  枠体支持部
６  電動昇降機構
７  ワイングラス掛吊具
７ａ  枠体
７ｂ  ワイングラス支持部材
８  カップ掛吊具
８ａ  枠体
８ｂ  カップ支持部材
９  小物置棚
【図１】
2005211141.tif 000003
【図２】
2005211141.tif 000004
【図３】
2005211141.tif 000005
【図４】
2005211141.tif 000006
【図５】
2005211141.tif 000007
【図６】
2005211141.tif 000008
【図７】
2005211141.tif 000009
【図８】
2005211141.tif 000010
【図９】
2005211141.tif 000011